(57)【要約】【課題】タッチパネル操作による車載機能のレベル設定に際して、ユーザが車載機能のレベル変更を直観的に確認できる技術を提供する。【解決手段】操作受付部１２は、タッチパネル２４の操作面の操作を受け付け、振動素子２６は、タッチパネル２４の操作面を振動させる。振動制御部１６は、操作受付部１２が受け付けた操作に応じて振動素子２６を駆動する。操作受付部１２が、車載機能のレベルを変更する操作を受け付けると、振動制御部１６は、振動素子２６の振動強度を変更する。【選択図】図１
2020042621.tif 000002
【特許請求の範囲】
【請求項１】
車両に搭載されたタッチパネルと、
前記タッチパネルの操作面の操作を受け付ける受付部と、
前記タッチパネルの操作面を振動させる振動素子と、
前記受付部が受け付けた操作に応じて前記振動素子を駆動する制御部と、を備え、
前記受付部が、車載機能のレベルを変更する操作を受け付けると、前記制御部は、前記振動素子の振動強度を変更する、
ことを特徴とする車載表示システム。
【発明の詳細な説明】
【技術分野】
【０００１】
本発明は、タッチパネルを備える車載表示システムに関する。
【背景技術】
【０００２】
特許文献１は、タッチパネルの操作面に対する接触操作を検出する操作検出部と、操作面を振動させる振動素子と、動的に変化している表示画像における所定の表示要素が所定の位置条件を満たす場合に、振動素子の振動状態を変化させる振動制御部とを備える入力装置を開示する。
【先行技術文献】
【特許文献】
【０００３】
【特許文献１】特開２０１７−４５４１８号公報
【発明の概要】
【発明が解決しようとする課題】
【０００４】
車両に搭載されるタッチパネルには、空調装置の風量調節や温度調節など、様々な車載機能のレベルを設定するためのＧＵＩ（Graphical User Interface:グラフィカルユーザインタフェース）が表示される。タッチパネルの操作面はユーザの手指により操作されるため、表示領域の一部は手指によって隠される。たとえば空調装置の風量レベルを設定する場合、ユーザが風量調節用ＧＵＩをタッチ操作すると、設定した風量レベルの表示が自分の手指により隠されて、視認できないことがある。そのためユーザは、風量レベルを確認するために、手指を一度タッチパネルから離して、手指で隠れていた風量レベル表示を視認する必要がある。
【０００５】
本発明はこうした状況に鑑みてなされたものであり、その目的は、タッチパネル操作による車載機能のレベル設定に際して、ユーザが車載機能のレベル変更を直観的に確認できる技術を提供することにある。
【課題を解決するための手段】
【０００６】
上記課題を解決するために、本発明のある態様の車載表示システムは、車両に搭載されたタッチパネルと、タッチパネルの操作面の操作を受け付ける受付部と、タッチパネルの操作面を振動させる振動素子と、受付部が受け付けた操作に応じて振動素子を駆動する制御部とを備える。受付部が、車載機能のレベルを変更する操作を受け付けると、制御部は、振動素子の振動強度を変更する。
【０００７】
この態様によると、車載機能のレベルの変更に応じて、振動素子の振動強度が変更されるため、タッチパネルの操作面を操作するユーザは、手指に伝わる振動強度の変化により、車載機能のレベル変更を確認できる。
【発明の効果】
【０００８】
本発明によれば、ユーザが車載機能のレベル変更を直観的に確認できる技術を提供できる。
【図面の簡単な説明】
【０００９】
【図１】実施形態の車載表示システムの構成を示す図である。
【図２】タッチパネルの構造を示す図である。
【図３】車両におけるタッチパネルの配置例を示す図である。
【図４】表示装置に表示される画像の一例を示す図である。
【図５】風量調節ＧＵＩを操作するユーザの手指を示す図である。
【図６】風量調節ＧＵＩの表示態様と振動素子の振動の時間遷移の一例を説明するための図である。
【図７】風量調節の表示態様と振動素子の振動の時間遷移の別の例を説明するための図である。
【図８】図７に示す時間遷移の変形例を示す図である。
【図９】設定温度の表示態様と振動素子の振動の時間遷移の一例を説明するための図である。
【発明を実施するための形態】
【００１０】
図１は、実施形態の車載表示システム１の構成を示す。車載表示システム１は車両に搭載され、制御部１０、タッチパネル２４および振動素子２６を備える。制御部１０は、操作受付部１２、表示制御部１４および振動制御部１６を有する。タッチパネル２４は、タッチ検出装置２０および表示装置２２を有する。
【００１１】
タッチ検出装置２０は、乗員であるユーザによりタッチされたポイントを検出する機能をもつ。操作受付部１２は、タッチ検出装置２０の操作面のユーザ操作を受け付ける機能をもち、具体的にはタッチ検出装置２０が検出したポイントの座標を、ユーザ操作として受け付ける。タッチ検出装置２０は透明材料により形成され、表示装置２２の前面に重ねて配置されることで、タッチパネル２４が構成される。
【００１２】
図２（ａ）は、タッチパネル２４の側方断面を示し、図２（ｂ）は、タッチパネル２４の裏面側の概略構成を示す。タッチ検出装置２０の前面は、ユーザがタッチ操作する操作面２０ａを構成する。タッチ検出装置２０は表示装置２２の前面に配置され、ユーザは、表示装置２２に表示されるＧＵＩを見ながら、タッチ検出装置２０の操作面２０ａを操作する。
【００１３】
タッチ検出装置２０の裏面側には、タッチ検出装置２０の上縁および下縁に沿って、タッチ検出装置２０の操作面２０ａを振動させる振動素子２６が設けられる。振動素子２６は、たとえば圧電素子であってよい。振動制御部１６は、操作受付部１２が受け付けたユーザ操作に応じて、振動素子２６を駆動する。実施形態の車載表示システム１において、振動制御部１６は、振動素子２６の振動を制御して、ユーザの手指に触覚フィードバックを提供する。
【００１４】
図３は、車両に設けられたタッチパネル２４の配置例を示す。タッチパネル２４は、ドライバによりタッチ操作可能な位置に設けられる。図示されるように、タッチパネル２４は、前席正面部の中央に設けられることが好ましい。
【００１５】
表示制御部１４は、車両に搭載された機器やアプリケーションなどにより実現される車載機能に関する画像を表示装置２２に表示させる。車載機能は、たとえば空調装置による空調機能、カーナビゲーションシステムによるナビ機能、音楽再生アプリによる音楽再生機能、電話機能などを含む。それ以外に、ラジオ放送受信機能や、テレビ放送受信機能などを含んでもよい。表示装置２２は、各機能に対応する機能ボタンを所定の第１表示領域に並べて表示し、いずれかの機能ボタンが選択操作されると、選択された機能ボタンに対応する機能に関する画像を所定の第２表示領域に表示する。
【００１６】
図４は、表示装置２２に表示される画像の一例を示す。表示装置２２の表示エリアは、複数の機能ボタンの表示画像を表示するボタン画像表示領域３０と、ボタン画像表示領域３０においてユーザ操作により選択された機能ボタンに対応する機能に関する画像（機能画像）を表示する機能画像表示領域４０とに分割される。
【００１７】
表示制御部１４は、表示装置２２に表示する画像を生成する。表示制御部１４はボタン画像表示領域３０に、空調設定ボタン３２ａ、ナビ設定ボタン３２ｂ、音楽再生ボタン３２ｃ、電話機能ボタン３２ｄ、その他ボタン３２ｅのボタン画像を表示する。以下、空調設定ボタン３２ａ、ナビ設定ボタン３２ｂ、音楽再生ボタン３２ｃ、電話機能ボタン３２ｄ、その他ボタン３２ｅを特に区別しない場合、まとめて「機能ボタン３２」と呼ぶ。
【００１８】
ユーザが、ボタン画像表示領域３０に表示された機能ボタン３２のいずれかをタッチ操作すると、操作受付部１２は、タッチ操作された座標位置に対応する機能ボタン３２の選択操作を受け付ける。表示制御部１４は、選択操作された機能ボタン３２に対応する機能に関する機能画像であって、ユーザによる操作対象となるＧＵＩを含む機能画像を生成し、機能画像表示領域４０に表示する。
【００１９】
この例で空調設定ボタン３２ａは、空調機能に関する画像、具体的にはユーザが空調機能のパラメータを設定または選択するための画像を機能画像表示領域４０に表示させるためのボタンである。図４に示す表示画面では、空調設定ボタン３２ａが選択されており、表示制御部１４は、空調設定ボタン３２ａを、選択された状態であることを示す態様で表示するとともに、空調機能のパラメータを設定または選択するための空調設定画面４１を機能画像表示領域４０に表示する。
【００２０】
空調設定画面４１には、ユーザ操作可能な様々なＧＵＩが配置される。風量調節ＧＵＩ４２は、空調装置の風量レベルを設定するためのＧＵＩであり、ユーザは、風量調節ＧＵＩ４２を含む表示領域を上方向または下方向になぞり操作することで、風量レベルを変更できる。温度調節ＧＵＩ４３、４４は、空調装置の温度レベルを設定するためのＧＵＩであり、ユーザは、温度調節ＧＵＩ４３、４４を含む表示領域を上方向または下方向になぞり操作することで、温度レベルを変更できる。
【００２１】
このように空調設定画面４１には、空調装置の各種機能のレベルを調節するための各種ＧＵＩが表示される。風量調節ＧＵＩ４２は８段階のレベル領域から構成されており、この例では、設定されている風量レベルが、下側から黒色で表示されるレベル領域の数により表現される。ここでは最下のレベル領域１からレベル領域４までの４つの領域が黒色表示されており、現在設定されている風量レベルが４であることを示している。ユーザは、風量調節ＧＵＩ４２の表示領域に指先を置き、指先を上方向または下方向に動かすことで、風量レベルを変更できる。
【００２２】
温度調節ＧＵＩ４３、４４は、温度レベルを縦方向のバー中央に数値で表現している。この例では、車内右側の設定温度が２５度、車内左側の設定温度が２５度と、それぞれ設定されている。ユーザは、温度調節ＧＵＩ４３、４４の表示領域に指先を置き、指先を上方向または下方向に動かすことで、温度レベルを変更できる。
【００２３】
図５は、風量調節ＧＵＩ４２を操作するユーザの手指を示す。ユーザは、風量調節ＧＵＩ４２の表示部分から外れた近傍位置に指先を置き、指先を上下に動かすことで風量レベルを変更できるが、図示のように風量調節ＧＵＩ４２の真上に指先を置いた場合には、風量調節ＧＵＩ４２の少なくとも一部は見えなくなる。この状態からユーザが指先を上方向または下方向に動かすと、表示制御部１４は、操作量（指先の移動量）に応じて風量調節ＧＵＩ４２におけるレベル領域の色を変化させるが、図示されるように風量レベルを示すレベル領域が手指によって隠されているため、ユーザは、レベル領域の色変化を視認できない。
【００２４】
そこで実施形態の車載表示システム１では、操作受付部１２が、空調装置の風量調節機能などの車載機能のレベルを変更する操作を受け付けると、振動制御部１６が、振動素子２６の振動強度を変更することで、ユーザに、車載機能のレベル変化を知らせるようにする。具体的には、操作受付部１２が、車載機能のレベルを大きくする操作を受け付けると、振動制御部１６が、振動素子２６の振動強度を大きくし、一方で操作受付部１２が、車載機能のレベルを小さくする操作を受け付けると、振動制御部１６が、振動素子２６の振動強度を小さくする。ユーザは風量調節ＧＵＩ４２における表示変化を見なくても、指先で振動強度の変化を感じることにより、車載機能のレベルが変更されていることを直観的に確認できる。
【００２５】
図６は、ユーザによるタッチポイントのＹ座標と、風量調節ＧＵＩ４２の表示態様と、振動素子２６の振動の時間遷移の一例を説明するための図である。図６に示すＹ座標は、タッチ検出装置２０の縦軸方向の座標であって、ユーザのタッチ始点からの相対座標を示す。この例では、ユーザが手指をタッチ始点から上方向に動かして、Ｙ座標が時間とともに大きくなる様子が示されている。
【００２６】
ユーザによるタッチ操作前、風量調節ＧＵＩ４２は、レベル領域１からレベル領域４までの４つの領域が黒色表示されており、風量レベルは「４」に設定されている。ユーザの指先が、時間t0で風量調節ＧＵＩ４２の表示領域をタッチし、その後、上方向に動かされる。操作受付部１２は、上方向の移動量が所定値を超えると、風量レベルを「１」上げる「風量レベル上げ操作」として受け付ける。操作受付部１２は、時間t1で、風量レベル上げ操作を受け付けると、空調装置に通知し、空調装置は、風量レベルを「５」に設定する。
【００２７】
実施形態で操作受付部１２は、風量レベル上げ操作を受け付けると、表示制御部１４および振動制御部１６にも通知する。これにより表示制御部１４は、風量調節ＧＵＩ４２のレベル領域５を黒色表示に変更し、したがってレベル領域１からレベル領域５までの５つの領域が黒色表示されて、風量レベルが「５」であることが示される。このとき振動制御部１６は、風量レベル「５」に応じた振動強度で、振動素子２６を駆動する。ユーザは自分の手指で隠された風量調節ＧＵＩ４２の表示変化を視認できなくても、指先に伝わる振動によって、風量レベルを変更したことを認識する。
【００２８】
操作受付部１２が、時間t2で風量レベル上げ操作を受け付けると、空調装置は、風量レベルを「６」に設定し、表示制御部１４は、風量調節ＧＵＩ４２のレベル領域６を黒色表示に変更して、風量レベルが「６」であることを示す。振動制御部１６は、風量レベル「６」に応じた振動強度で、振動素子２６を駆動する。
【００２９】
振動制御部１６は、風量レベル「６」に応じた振動強度を、風量レベル「５」に応じた振動強度よりも大きくする。これによりユーザは、時間t1で感じた振動よりも大きい振動を、時間t2で感じ取る。ユーザは、振動強度が大きくなったことから、風量レベルが大きくなる方向に変化していることを認識できる。
【００３０】
続いて時間t3で、操作受付部１２が風量レベル上げ操作を受け付けると、空調装置は、風量レベルを「７」に設定し、表示制御部１４は、風量調節ＧＵＩ４２のレベル領域７を黒色表示に変更し、振動制御部１６は、風量レベル「７」に応じた振動強度で、振動素子２６を駆動する。風量レベル「７」に応じた振動強度は、風量レベル「６」に応じた振動強度よりも大きく設定される。
【００３１】
続いて時間t4で、操作受付部１２が風量レベル上げ操作を受け付けると、空調装置は、風量レベルを「８」に設定し、表示制御部１４は、風量調節ＧＵＩ４２のレベル領域８を黒色表示に変更し、振動制御部１６は、風量レベル「８」に応じた振動強度で、振動素子２６を駆動する。風量レベル「８」に応じた振動強度は、風量レベル「７」に応じた振動強度よりも大きく設定される。
【００３２】
以上のように、ユーザが風量レベルを上げるための操作を行う場合、ユーザの指先には、風量レベルが上がるごとに、より大きな振動が与えられる。ユーザは、操作面２０ａから付与される振動が次第に大きくなることを感じることで、風量レベルが上がっていることを認識する。また振動強度が、風量レベルに応じて設定されるため、ユーザは、指先に付与される振動の大きさから、現在の風量レベルがいくつであるか把握することも可能となる。
【００３３】
図７は、ユーザによるタッチポイントのＹ座標と、風量調節ＧＵＩ４２の表示態様と、振動素子２６の振動の時間遷移の別の例を説明するための図である。図７に示すＹ座標は、タッチ検出装置２０の縦軸方向の座標であって、ユーザのタッチ始点からの相対座標を示す。この例では、ユーザが手指をタッチ始点から下方向に動かして、Ｙ座標が時間とともに小さくなる様子が示されている。
【００３４】
ユーザによるタッチ操作前、風量調節ＧＵＩ４２は、レベル領域１からレベル領域４までの４つの領域が黒色表示されており、風量レベルは「４」に設定されている。ユーザの指先が、時間t10で風量調節ＧＵＩ４２の表示領域をタッチし、その後、下方向に動かされる。操作受付部１２は、下方向の移動量が所定値を超えると、風量レベルを「１」下げる「風量レベル下げ操作」として受け付ける。操作受付部１２は、時間t11で、風量レベル下げ操作を受け付けると、空調装置に通知し、空調装置は、風量レベルを「３」に設定する。
【００３５】
実施形態で操作受付部１２は、風量レベル下げ操作を受け付けると、表示制御部１４および振動制御部１６にも通知する。これにより表示制御部１４は、風量調節ＧＵＩ４２のレベル領域４を白色表示に変更し、したがってレベル領域１からレベル領域３までの３つの領域が黒色表示されて、風量レベルが「３」であることが示される。このとき振動制御部１６は、風量レベル「３」に応じた振動強度で、振動素子２６を駆動する。ユーザは自分の手指で隠された風量調節ＧＵＩ４２の表示変化を視認できなくても、指先に伝わる振動によって、風量レベルを変更したことを認識する。
【００３６】
操作受付部１２が、時間t12で風量レベル下げ操作を受け付けると、空調装置は、風量レベルを「２」に設定し、表示制御部１４は、風量調節ＧＵＩ４２のレベル領域３を白色表示に変更して、風量レベルが「２」であることを示す。振動制御部１６は、風量レベル「２」に応じた振動強度で、振動素子２６を駆動する。
【００３７】
振動制御部１６は、風量レベル「２」に応じた振動強度を、風量レベル「３」に応じた振動強度よりも小さくする。これによりユーザは、時間t11で感じた振動よりも小さい振動を、時間t12で感じ取る。ユーザは、振動強度が小さくなったことから、風量レベルが小さくなる方向に変化していることを認識できる。
【００３８】
続いて時間t13で、操作受付部１２が風量レベル下げ操作を受け付けると、空調装置は、風量レベルを「１」に設定し、表示制御部１４は、風量調節ＧＵＩ４２のレベル領域２を白色表示に変更し、振動制御部１６は、風量レベル「１」に応じた振動強度で、振動素子２６を駆動する。風量レベル「１」に応じた振動強度は、風量レベル「２」に応じた振動強度よりも小さく設定される。
【００３９】
以上のように、ユーザが風量レベルを下げるための操作を行う場合、ユーザの指先には、風量レベルが下がるごとに、より小さな振動が与えられる。ユーザは、操作面２０ａから付与される振動が次第に小さくなることを感じることで、風量レベルが下がっていることを認識する。また振動強度が、風量レベルに応じて設定されるため、ユーザは、指先に付与される振動の大きさから、現在の風量レベルがいくつであるか把握することも可能となる。
【００４０】
振動制御部１６は、風量レベルが上限値または下限値に達すると、上限値または下限値に達したことをユーザに知らせるように、振動素子２６を駆動してもよい。
図８は、図７に示す時間遷移の変形例を示す。この例では、時間t13で、空調装置は風量レベルを、下限値であるレベル「１」に設定し、表示制御部１４は、風量調節ＧＵＩ４２のレベル領域２を白色表示に変更して、レベル領域１のみを黒色表示とする。
【００４１】
図８に示す振動パターンでは、振動制御部１６が、時間t13で風量レベルが下限値に達したことを示すために、振動素子２６の振動時間を長くする。これによりユーザは、風量レベルが下限値に達したことを認識できる。なお図６に示す時間遷移例で、振動制御部１６は、時間t4で風量レベルが上限値に達したことを示すために、振動素子２６の振動時間を長くしてもよい。
【００４２】
このように振動制御部１６は、車載機能のレベル変更に際して、レベルが上限値または下限値に設定された場合に、上限値および下限値の間のレベル変更時の振動時間よりも長い振動時間で振動素子２６を駆動してよい。なお振動制御部１６は、振動時間を変化させることでレベルが上限値または下限値に達したことを示すのではなく、たとえば特定の振動パターンで振動させることで、レベルが上限値または下限値に達したことを示してもよい。このように振動制御部１６は、レベルが上限値または下限値に達したときに、振動素子２６の振動態様を変更することで、ユーザに、レベルがこれ以上変化しないことを知らせてよい。
【００４３】
なお振動制御部１６は、レベルが所定のレベル値に達したときに、振動素子２６の振動態様を変更してもよい。
図９は、ユーザによるタッチポイントのＹ座標と、温度調節ＧＵＩ４３における温度の表示態様と、振動素子２６の振動の時間遷移の一例を説明するための図である。図９に示すＹ座標は、タッチ検出装置２０の縦軸方向の座標であって、ユーザのタッチ始点からの相対座標を示す。この例では、ユーザが手指をタッチ始点から下方向に動かして、Ｙ座標が時間とともに小さくなる様子が示されている。
【００４４】
たとえば空調装置が、車内温度や外気温等にもとづいて、設定温度の推奨値を算出する機能を有する場合、振動制御部１６は、設定温度が推奨値に達すると、振動素子２６の振動態様を変更する。この例では、空調装置が推奨温度を「２３度」と算出する。
【００４５】
ユーザによるタッチ操作前、温度レベルが「２５度」に設定されている。ユーザの指先が、時間t20で温度調節ＧＵＩ４３の表示領域をタッチし、その後、下方向に動かされる。操作受付部１２は、下方向の移動量が所定値を超えると、温度レベルを「１」下げる「温度レベル下げ操作」として受け付ける。操作受付部１２は、時間t21で、温度レベル下げ操作を受け付けると、空調装置に通知し、空調装置は、温度レベルを「２４度」に設定する。
【００４６】
操作受付部１２は、温度レベル下げ操作を受け付けると、表示制御部１４および振動制御部１６にも通知し、表示制御部１４は、温度調節ＧＵＩ４３の温度レベルを「２４度」に変更し、振動制御部１６は、温度レベル「２４度」に応じた振動強度で、振動素子２６を駆動する。ユーザは自分の手指で隠された温度調節ＧＵＩ４３の表示変化を視認できなくても、指先に伝わる振動によって、温度レベルを変更したことを認識する。
【００４７】
操作受付部１２が、時間t22で風量レベル下げ操作を受け付けると、空調装置は、温度レベルを「２３度」に設定し、表示制御部１４は、温度調節ＧＵＩ４３の温度レベルを「２３度」に変更し、振動制御部１６は、温度レベル「２３度」に応じた振動強度で、振動素子２６を駆動する。温度レベル「２３度」に応じた振動強度は、温度レベル「２４度」に応じた振動強度よりも小さく設定される。
【００４８】
振動制御部１６は、時間t22で温度レベルが所定の推奨値に達したことを示すために、振動素子２６の振動時間を長くする。これによりユーザは、温度レベルが推奨値に達したことを認識できる。上記したように振動制御部１６は、特定の振動パターンで振動させることで、温度レベルが推奨値に達したことを示してもよい。
【００４９】
以上、本発明を実施形態をもとに説明した。本発明は、上述の実施形態に限定されるものではなく、当業者の知識に基づいて各種の設計変更等の変形を加えることも可能である。実施形態では、空調装置の設定画面における機能レベルの変更操作について説明したが、他のアプリケーションにおけるレベル変更、たとえばオーディオ装置のボリューム調整、ラジオのチューン調整、地図の縮尺変更等の操作にも適用できる。
【００５０】
実施形態では、振動制御部１６が、車載機能のレベル変化が生じたときに、変化後のレベルに応じた振動強度で振動素子２６を駆動しているが、ユーザがＧＵＩを最初にタッチしたときに、そのときのレベルに応じた振動強度で振動素子２６を駆動してもよい。
【００５１】
実施形態では、タッチ検出装置２０と表示装置２２とが一体となったタッチパネル２４を前提としているが、タッチ検出装置２０と表示装置２２とが分離されていてもよい。
【符号の説明】
【００５２】
１・・・車載表示システム、１０・・・制御部、１２・・・操作受付部、１４・・・表示制御部、１６・・・振動制御部、２０・・・タッチ検出装置、２０ａ・・・操作面、２２・・・表示装置、２４・・・タッチパネル、２６・・・振動素子。
【図１】
2020042621.tif 000003
【図２】
2020042621.tif 000004
【図３】
2020042621.tif 000005
【図４】
2020042621.tif 000006
【図５】
2020042621.tif 000007
【図６】
2020042621.tif 000008
【図７】
2020042621.tif 000009
【図８】
2020042621.tif 000010
【図９】
2020042621.tif 000011